(57)【要約】【目的】段差のある部分を照らしだしすのではなく、単に段差が存在することを知らしめるために使用する。【構成】基板１００に実装され、電源２００からの電力の供給を受けて発光する複数の発光ダイオード素子３００と、周囲の照度を検出する光センサ４００と、この光センサ４００の出力４１０が入力され、前記出力４１０が所定値以下になった場合に前記電源２００から発光ダイオード素子３００に対して電力を供給させる制御部５００とを備えており、前記発光ダイオード素子３００は、周囲を照らしだすものではなく、自己の存在を知らしめる程度の明るさで発光するものである。【選択図】　　　図１
2004134194.tif 000002
【特許請求の範囲】
【請求項１】
基板に実装され、電源からの電力の供給を受けて発光する１又は２以上の発光ダイオード素子と、周囲の照度を検出する光センサと、この光センサの出力が入力され、前記出力が所定値以下になった場合に前記電源から発光ダイオード素子に対して電力を供給させる制御部とを具備しており、前記発光ダイオード素子は、周囲を照らしだすものではなく、自己の存在を知らしめる程度の明るさで発光するものであることを特徴とする室内誘導灯。
【請求項２】
基板に実装され、電源からの電力の供給を受けて発光する１又は２以上の発光ダイオード素子と、周囲の照度を検出する光センサと、赤外線センサと、前記光センサ及び赤外線センサの出力が入力され、前記光センサからの出力が所定値以下になり、かつ前記赤外線センサからの出力が所定値以上になった場合に前記電源から発光ダイオード素子に対して電力を供給させる制御部とを具備しており、前記発光ダイオード素子は、周囲を照らしだすものではなく、自己の存在を知らしめる程度の明るさで発光するものであることを特徴とする室内誘導灯。
【請求項３】
前記制御部は、赤外線センサからの出力が所定値以上になった後に所定値以下になった時から所定時間が経過すると、電力の供給を停止することを特徴とする請求項２記載の室内誘導灯。
【請求項４】
前記電源は、商用電源と蓄電池又はコンデンサとからなり、商用電源が停電した場合、前記制御部は、蓄電池又はコンデンサから電力を発光ダイオード素子に供給することを特徴とする請求項１、２又は３記載の室内誘導灯。
【請求項５】
前記制御部は、前記蓄電池又はコンデンサから発光ダイオード素子に電力の供給が行われている場合に、発光ダイオード素子を点滅させることを特徴とする請求項４記載の室内誘導灯。
【請求項６】
前記基板は、横長のものであることを特徴とする請求項１、２、３、４又は５記載の室内誘導灯。
【発明の詳細な説明】
【０００１】
【発明の属する技術分野】
本発明は、室内誘導灯に関する。
【０００２】
【従来の技術】
例えば、室内の階段の段差部や、廊下の壁の立上り部、玄関の上がり框等の段差や障害物のある部分は、暗闇の中では見分けがつきにくく、特に老人等の摺足で歩行する者にとっては転倒の原因となる部分である。
【０００３】
このような段差のある部分を暗闇の中で照らしだすために、光センサと赤外線センサとを用いた照明器具がある。この照明器具は、高い輝度を有する発光ダイオード素子と、周囲の照度を検出する光センサと、周囲に赤外線を発する物体の存在を検出する赤外線センサと、前記光センサの出力が入力され、前記出力が所定値以下になり、かつ前記赤外線センサからの出力が所定値以上になった場合に前記電源から発光ダイオード素子に対して電力を供給させる制御部とを有している（センサ付き照明器具の例としては、特許文献１等がある）。
【０００４】
【特許文献１】
特開平１１−１７６２３４号公報
【０００５】
【発明が解決しようとする課題】
しかしながら、従来の照明器具は、あくまで例えば段差のある部分を暗闇の中で照らしだすためのものであり、段差の存在を知らしめるものではなかった。このため、発光ダイオード素子には消費電力も大きい高輝度のものを使用する必要があった。
【０００６】
電気を使用しないものとして、蓄光塗料や、蓄光塗料を塗布したテープ等があるが、発光する時間が限られているのと、繰り返しの使用により蓄光が可能な時間が短くなってくるため、長期間の使用には耐えられないという問題があった。また、薄暗い場所では、輝度が小さく目立たない、認識できないという問題もあった。
【０００７】
本発明は上記事情に鑑みて創案されたものであって、例えば段差や障害物のある部分を照らしだしすのではなく、単に段差が存在することを知らしめるために使用する室内誘導灯を提供することを目的としている。
【０００８】
【課題を解決するための手段】
本発明に係る室内誘導灯は、基板に実装され、電源からの電力の供給を受けて発光する１又は２以上の発光ダイオード素子と、周囲の照度を検出する光センサと、この光センサの出力が入力され、前記出力が所定値以下になった場合に前記電源から発光ダイオード素子に対して電力を供給させる制御部とを備えており、前記発光ダイオード素子は、周囲を照らしだすものではなく、自己の存在を知らしめる程度の明るさで発光するものである。
【０００９】
【発明の実施の形態】
図１は本発明の第１の実施の形態に係る室内誘導灯の概略的構成図、図２は本発明の第１の実施の形態に係る室内誘導灯の概略的ブロック図、図３は本発明の第２の実施の形態に係る室内誘導灯の概略的構成図、図４は本発明の第２の実施の形態に係る室内誘導灯の概略的ブロック図である。
【００１０】
本発明の第１の実施の形態に係る室内誘導灯は、基板１００に実装され、電源２００からの電力の供給を受けて発光する複数（図面では６個）の発光ダイオード素子３００と、周囲の照度を検出する光センサ４００と、この光センサ４００の出力４１０が入力され、前記出力４１０が所定値以下になった場合に前記電源２００から発光ダイオード素子３００に対して電力を供給させる制御部５００とを備えており、前記発光ダイオード素子３００は、周囲を照らしだすものではなく、自己の存在を知らしめる程度の明るさで発光するものである。
【００１１】
この室内誘導灯は、筒体６００と、この筒体６００に取り付けられたケース７００とからその外観が構成される。前記筒体６００は、後述する発光ダイオード素子３００が内蔵されるものであり、ケース７００は、後述する制御部５００及び電源２００の一部を構成する蓄電池２１０が内蔵されるものである。
【００１２】
前記基板１００は、横長のプリント基板であり、所定間隔でチップ状の発光ダイオード素子３００が実装されている。前記発光ダイオード素子３００は、すべてを直列に接続すると、１つの破損ですべての発光ダイオード素子３００が発光しなくなるので、いくつかの発光ダイオード素子３００を直列に接続し、それらを並列に接続するようになっている。この発光ダイオード素子３００の接続は、基板１００に形成された図示しないプリント配線によって行われる。
【００１３】
前記発光ダイオード素子３００は、周囲を照らしだすことを目的とするものではなく、自己の存在を知らしめる程度の明るさで発光するものである。すなわち、照明灯の光源として用いられるほど輝度の高いものではなく、例えば電流２０ｍＡ時で光度５０〜２００ｍｃｄ程度のほんのりと点灯する程度のものである。
【００１４】
前記基板１００は、発光ダイオード素子３００等の破損を防止するために、透明な筒体６００に収納されている。この筒体６００は、例えば断面視略Ｄ字形状になっており、湾曲面に発光ダイオード素子６００が対向するようになっている。そして、筒体６００の平坦面には、室内誘導灯を壁面等に取り付けるための両面接着テープ（図示省略）が設けられている。
【００１５】
前記筒体６００の両端には、キャップ６１０が取り付けられる。すなわち、このキャップ６１０を筒体６００に取り付けると、筒体６００の内部は気密に閉塞されるのである。
【００１６】
前記電源２００は、商用電源２２０と、非常用の蓄電池２１０とから構成されている。すなわち、通常時は商用電源２２０で、商用電源２２０が停電等で電力の供給を停止した等の非常時には蓄電池２１０で、前記発光ダイオード素子３００を発光させるのである。前記蓄電池２１０は、通常時には商用電源２２０によって充電されている。
【００１７】
前記制御部５００は、室内誘導灯が設置された場所の周囲の照度に応じて、発光ダイオード素子３００に電源２００からの電力の供給を制御するものであって、筒体６００に沿ってに設けられている。かかる制御部５００には、前記光センサ４００からの出力４１０が入力されているとともに、電源２００を構成する商用電源２２０及び蓄電池２１０が入力されている。
【００１８】
前記ケース７００の前面には、光センサ４００が実装されている。この光センサ４００は、室内誘導灯が設置された場所の周囲の照度を検出するものであり、例えばＣｄＳ等が用いられている。光センサ４００を前記基板１００に実装するとなると、一度点灯した発光ダイオード素子３００からの光によって、昼間と同じ程度の出力４１０を制御部５００に対して出力することになり、発光ダイオード素子３００の点灯が必要なくなった程度に周囲が明るくなったとして、発光ダイオード素子３００を消灯するおそれがある。この状態が継続すると、発光ダイオード素子３００は点滅を繰り返すことになるため、発光ダイオード素子３００からの光の影響を受けにくい位置であるケース７００の前面に光センサ４００を設けるのである。
【００１９】
次に、かかる構成の室内誘導灯の動作を説明する。
まず、周囲が明るい昼間においては、光センサ４００からの出力４１０は前記所定値以上になっているので、発光ダイオード素子３００には電源２００から電力が供給されておらず、発光ダイオード素子３００は消灯状態にある。なお、この状態では、電源２００を構成する蓄電池２１０は、商用電源２２０による充電が行われている。
【００２０】
夜間等の周囲が暗い状態になると、光センサ４００からの出力４１０は前記所定値以下に低下する。すると、制御部５００は、発光ダイオード素子３００に対して電源２００からの電力を供給し、発光ダイオード素子３００が点灯する。なお、この状態でも、電源２００を構成する蓄電池２１０は、商用電源２２０による充電が行われている。
【００２１】
夜間等の周囲が暗い状態の時に、商用電源２２０が停電すると、制御部５００は電圧低下を感知して、電源２００を商用電源２２０から蓄電池２１０に切り換える。従って、発光ダイオード素子３００は、蓄電池２１０から供給される電力によって点灯する。特に、夜間における地震等の災害による停電に有効である。
【００２２】
商用電源２２０が停電から回復すると、制御部５００は電源２００を蓄電池２１０から商用電源２２０に自動的に切り換え、商用電源２２０による発光ダイオード素子３００の点灯を継続する。また、同時に、蓄電池２１０に対する商用電源２２０からの充電も再開させる。
【００２３】
周囲が明るくなって、光センサ４００からの出力４１０が所定値以上になると、電源２００からの発光ダイオード素子３００からの電力は停止され、発光ダイオード素子３００は消灯する。
【００２４】
上述した第１の実施の形態においては、電源２００が商用電源２２０から蓄電池２１０に切り換えられた場合に、発光ダイオード素子３００は点灯するとしたが、この場合には発光ダイオード素子３００は点滅させるようにすることも可能である。この場合には、制御部５００において蓄電池２１０からの電力の供給を間欠的にすることで行われる。このように、発光ダイオード素子３００を点滅させると、非常用の蓄電池２１０からの電力の供給が行われている状態、すなわち商用電源２２０が停電の状態にあることが判るという利点がある。
【００２５】
次に、本発明の第２の実施の形態に係る室内誘導灯について説明する。
この第２の実施の形態に係る室内誘導灯が、第１の実施の形態に係るものと相違する点は、赤外線センサ８００が設けられた点である。
【００２６】
かかる室内誘導灯は、横長の基板１００に実装され、電源２００からの電力の供給を受けて発光する複数の発光ダイオード素子３００と、周囲の照度を検出する光センサ４００と、赤外線センサ８００と、前記光センサ４００の出力４１０及び赤外線センサ８００の出力８１０が入力され、前記光センサ４００からの出力４１０が所定値以下になり、かつ前記赤外線センサ８００からの出力８１０が所定値以上になった場合に前記電源２００から発光ダイオード素子３００に対して電力を供給させる制御部５００とを備えており、前記発光ダイオード素子３００は、周囲を照らしだすものではなく、自己の存在を知らしめる程度の明るさで発光するものである。
【００２７】
前記赤外線センサ８００は、人感センサとも称されており、人間の身体から発せられる赤外線を検出するものである。この赤外線センサ８００は、制御部５００等が内蔵される前記ケース７００の前面に取り付けられている。かかる赤外線センサ８００の出力８１０は、制御部５００に入力されている。
【００２８】
前記制御部５００では、前記光センサ４００の出力４１０と、赤外線センサ８００の出力８１０とがａｎｄ回路に入力されており、光センサ４００からの出力４１０が所定値以下で、赤外線センサ８００からの出力８１０が所定値以上になった場合にのは、電源２００からの電力を発光ダイオード素子３００に供給するようにしている。
【００２９】
なお、この第２の実施の形態に係る室内誘導灯のその他の点は、上述した第１の実施の形態に係る室内誘導灯と同等であるのでその説明は省略する。
【００３０】
次に、このように構成された第２の実施の形態に係る室内誘導灯の動作を説明する。
まず、周囲が明るい昼間においては、光センサ４００からの出力４１０は前記所定値以上になっているので、発光ダイオード素子３００には電源２００から電力が供給されておらず、発光ダイオード素子３００は消灯状態にある。なお、この状態では、電源２００を構成する蓄電池２１０は、商用電源２２０による充電が行われている。
【００３１】
夜間等の周囲が暗い状態になると、光センサ４００からの出力４１０は前記所定値以下に低下する。しかし、室内誘導灯の周囲に人間が存在しないと、赤外線センサ００８からの出力８１０が所定値以下のままであるので、制御部５００は、発光ダイオード素子３００に対して電源２００からの電力を供給せず、発光ダイオード素子３００は消灯状態のままである。この状態において、人間が室内誘導灯に近づくと、赤外線センサ８００が人間の身体から発せられる赤外線を検出し、その出力８１０が所定値以上になる。この状態で初めて、制御部５００は発光ダイオード素子３００に対して電源２００からの電力の供給を行うので、発光ダイオード素子３００が点灯する。なお、この状態でも、電源２００を構成する蓄電池２１０は、商用電源２２０による充電が行われている。
【００３２】
この状態から、人間が室内誘導灯から遠ざかると、人間の身体から発せられる赤外線が赤外線センサ８００に検出されなくなるので、制御部５００は発光ダイオード素子３００への電源２００からの電力の供給を停止し、発光ダイオード素子３００は消灯する。
【００３３】
夜間等の周囲が暗い状態の時に、商用電源２２０が停電すると、制御部５００は電圧低下を感知して、電源２００を商用電源２２０から蓄電池２１０に切り換える。しかし、赤外線センサ８００からの出力８１０が所定値以上にならないと、発光ダイオード素子３００への蓄電池２１０からの電力の供給は行われない。赤外線センサ００８からの出力８１０が所定値以上になって初めて、発光ダイオード素子３００への蓄電池２１０からの電力の供給は行われ、発光ダイオード素子３００が点灯するのである。
【００３４】
また、商用電源２２０が停電から回復すると、制御部５００は電源２００を蓄電池２１０から商用電源２２０に自動的に切り換える。また、同時に、蓄電池２１０に対する商用電源２２０からの充電も再開させる。
【００３５】
上述した第２の実施の形態においては、電源２００から商用電源２２０から蓄電池２１０に切り換えられた場合に、発光ダイオード素子３００は点灯するとしたが、この場合には発光ダイオード素子３００は点滅させるようにすることも可能である。この場合には、制御部５００において蓄電池２１０からの電力の供給を間欠的にすることで行われる。このように、発光ダイオード素子３００を点滅させると、非常用の蓄電池２１０からの電力の供給が行われている状態、すなわち商用電源２２０が停電の状態にあることが判るという利点がある。
【００３６】
また、上述した第２の実施の形態においては、光センサ４００からの出力４１０が所定値以下であり、かつ赤外線センサ８００からの出力８１０が所定値以上であると、発光ダイオード素子３００は点灯（点滅）し続けるとしたが、赤外線センサ８００からの出力８１０が所定値以下になってから例えば５秒程度の所定時間が経過して初めて発光ダイオード素子３００を消灯するようにすることも可能である。
【００３７】
さらに、上述した２つの実施の形態では、電源２００を商用電源２２０と蓄電池２１０とから構成するとしたが、蓄電池２１０の代わりにコンデンサを使用することも可能である。
【００３８】
また、発光ダイオード素子３００は複数個であるとしたが、１個であってもよいことは勿論である。
【００３９】
【発明の効果】
本発明に係る室内誘導灯は、基板に実装され、電源からの電力の供給を受けて発光する１又は２以上の発光ダイオード素子と、周囲の照度を検出する光センサと、この光センサの出力が入力され、前記出力が所定値以下になった場合に前記電源から発光ダイオード素子に対して電力を供給させる制御部とを備えており、前記発光ダイオード素子は、周囲を照らしだすものではなく、自己の存在を知らしめる程度の明るさで発光するものである。
【００４０】
かかる室内誘導灯であると、周囲が暗くなると、自動的に発光ダイオード素子が点灯するので、例えば室内の階段の段差部や、廊下の壁の立上り部、玄関の上がり框等の段差のある場所に設置すると、夜間等において段差の存在を視覚的に知らしめることができる。特に、発光ダイオード素子は、周囲を照らしだすものではなく、自己の存在を知らしめる程度の明るさで発光するものであるので、従来のように高輝度のものを使用する必要がないので、低コストで構成することができる。
【００４１】
また、本発明に係る他の室内誘導灯は、基板に実装され、電源からの電力の供給を受けて発光する１又は２以上の発光ダイオード素子と、周囲の照度を検出する光センサと、赤外線センサと、前記光センサ及び赤外線センサの出力が入力され、前記光センサからの出力が所定値以下になり、かつ前記赤外線センサからの出力が所定値以上になった場合に前記電源から発光ダイオード素子に対して電力を供給させる制御部とを備えており、前記発光ダイオード素子は、周囲を照らしだすものではなく、自己の存在を知らしめる程度の明るさで発光するものである。
【００４２】
かかる室内誘導灯であると、人間の身体から発せられる赤外線を検知して初めて発光ダイオード素子が発光するようになっているので、だれも周囲にいない場合に発光ダイオード素子が発光することがなく省エネルギーに適したものとすることができる。
【００４３】
さらに、この室内誘導灯において、前記制御部は、赤外線センサからの出力が所定値以上になった後に所定値以下になった時から所定時間が経過すると、電力の供給を停止するようにすれば、人間が周囲からいなくなった瞬間に発光ダイオード素子が消灯することがないので、赤外線センサには検知されない程度の距離にだけ離れて居た人間に対しても引き続いて自己の存在を示すことができるというメリットがある。
【００４４】
前記電源を商用電源と蓄電池又はコンデンサとし、商用電源が停電した場合、前記制御部は、蓄電池又はコンデンサから電力を発光ダイオード素子に供給するようにすれば、商用電源の停電時にも発光ダイオード素子の点灯が確保できるので安心である。特に、地震等で商用電源が停電した場合に有効である。
【００４５】
そして、前記制御部が、前記蓄電池又はコンデンサから発光ダイオード素子に電力の供給が行われている場合に、発光ダイオード素子を点滅させるようにすれば、停電状態であることが周囲の人間にも簡単に判明するというメリットがある。
【００４６】
なお、前記基板を横長のもので構成すると、室内の階段の段差部や、廊下の壁の立上り部、玄関の上がり框等の段差のある部分に好適である。
【図面の簡単な説明】
【図１】本発明の第１の実施の形態に係る室内誘導灯の概略的構成図である。
【図２】本発明の第１の実施の形態に係る室内誘導灯の概略的ブロック図である。
【図３】本発明の第２の実施の形態に係る室内誘導灯の概略的構成図である。
【図４】本発明の第２の実施の形態に係る室内誘導灯の概略的ブロック図である。
【符号の説明】
１００　　基板
２００　　電源
３００　　発光ダイオード素子
４００　　光センサ
４１０　　（光センサからの）の出力
５００　　制御部
【図１】
2004134194.tif 000003
【図２】
2004134194.tif 000004
【図３】
2004134194.tif 000005
【図４】
2004134194.tif 000006